(57)【要約】【課題】細長い形状の釦に対して釦中央部から離れた位置で押すと、釦と釦外周部とのクリアランス以上に釦が傾いてしまい、十分なストロークが取れなくなってしまうという問題があった。【解決手段】押圧面２、並びにこの押圧面２と反対側に設けられたシャフト５及び突出部３、４を有した電源釦１と、この電源釦１の突出部３、４と当接可能に配置された突出部１１、１２が形成されたヒンジ部１３、１４、及びシャフト５が移動自在に挿入される透孔部１４を有した背面部１０、並びに電源釦１の突出部３、４の突出部１１、１２方向への移動を案内する案内部８、９を有した前面カバー６の凹部７と、電源釦１と背面部１０との間に設けられた圧縮コイルばね１６とを具備した。【選択図】　図１
2004031109.tif 000002
【特許請求の範囲】
【請求項１】
押釦と、この押釦を移動自在に案内する案内部材と、コイルばねとを有した押釦装置であって、前記押釦は押圧面、並びにこの押圧面の反対側に形成されたシャフト及び突出部を有し、前記案内部材は前記押釦の突出部と当接可能な突出部が形成されたヒンジ部及び前記押釦のシャフトが移動自在に挿入される透孔部を有した板状部、並びに前記押釦の突出部をこの板状部のヒンジ部の突出部方向に案内する案内部を有し、前記コイルばねは前記押釦と前記案内部材の板状部との間に配置されたことを特徴とする押釦装置。
【請求項２】
請求項１記載の押釦装置において、前記押釦の押圧面への押圧による移動において、前記押釦の突出部と前記案内部材の突出部とが当接した後に、この当接により前記ヒンジ部の変形が生じるよう構成したことを特徴とする押釦装置。
【請求項３】
請求項２記載の押釦装置において、前記ヒンジ部の曲げ応力を前記コイルばねの復元力より大としたことを特徴とする押釦装置。
【請求項４】
請求項１記載の押釦装置において、前記案内部材のヒンジ部は前記板状部に複数設けられ、且つ前記押釦のシャフトが挿入される前記透孔部を中心に対称的に配置されたことを特徴とする押釦装置。
【請求項５】
請求項１記載の押釦装置において、前記押釦もしくは前記案内部材に設けられ、前記押釦の前記案内部材からの抜け止めのための手段を具備したことを特徴とする押釦装置。
【請求項６】
請求項１記載の押釦装置において、前記押釦の押圧面への押圧により移動する前記押釦のシャフトによって押圧されるスイッチを具備したことを特徴とする押釦装置。
【発明の詳細な説明】
【０００１】
【発明の属する技術分野】本発明は、押釦装置に関する。
【０００２】
【従来の技術】テレビジョン受像機等における電源釦には、デザイン上の要求から細長い釦形状が要求されることがある。このような形状の釦に対して釦中央部から離れた位置を押すと、釦と釦外周部とのクリアランス以上に釦が傾いてしまい、電源スイッチのストロークを十分に取れなくなってしまうという問題があった。状況により、またユーザにより釦の押圧位置は様々であり、必ずしも釦中央部が押されるとは限らない。
【０００３】
特開平６−２０５５５号公報には、スイッチの復帰形押釦が開示されている。この公報記載の押釦装置では、釦外周部とのクリアランスが実質的に存在しない構造のため、押釦が傾く問題は生じない。しかしながら押釦の形状を細長い形状とした場合には、上記クリアランスが殆ど存在しないために逆に押釦の中央部以外を押すには非常に大きな力が必要で、実際にはこのような構造で押釦の形状を細長くすることは出来ないという問題を有している。
【０００４】
【発明が解決しようとする課題】上述したように従来、細長い形状の釦に対して釦中央部から離れた位置で押すと、釦と釦外周部とのクリアランス以上に釦が傾いてしまい、十分なストロークが取れなくなってしまうという問題があった。本発明は上述した問題点を解決するためになされたもので、釦の形状が細長い場合であっても釦の押圧時にその傾きを緩和することの出来る押釦装置を提供することを目的とする。
【０００５】
【課題を解決するための手段】請求項１にかかる押釦装置は、押釦と、この押釦を移動自在に案内する案内部材と、コイルばねとを有した押釦装置であって、前記押釦は押圧面、並びにこの押圧面の反対側に形成されたシャフト及び突出部を有し、前記案内部材は前記押釦の突出部と当接可能な突出部が形成されたヒンジ部及び前記押釦のシャフトが移動自在に挿入される透孔部を有した板状部、並びに前記押釦の突出部をこの板状部のヒンジ部の突出部方向に案内する案内部を有し、前記コイルばねは前記押釦と前記案内部材の板状部との間に配置されたことを特徴とするものである。
【０００６】
請求項２にかかる押釦装置は、請求項１記載の押釦装置において、前記押釦の押圧面への押圧による移動において、前記押釦の突出部と前記案内部材の突出部とが当接した後に、この当接により前記ヒンジ部の変形が生じるよう構成したことを特徴とするものである。
【０００７】
請求項３にかかる押釦装置は、請求項２記載の押釦装置において、前記ヒンジ部の曲げ応力を前記コイルばねの復元力より大としたことを特徴とするものである。
【０００８】
請求項４にかかる押釦装置は、請求項１記載の押釦装置において、前記案内部材のヒンジ部は前記板状部に複数設けられ、且つ前記押釦のシャフトが挿入される前記透孔部を中心に対称的に配置されたことを特徴とするものである。
【０００９】
請求項５にかかる押釦装置は、請求項１記載の押釦装置において、前記押釦もしくは前記案内部材に設けられ、前記押釦の前記案内部材からの抜け止めのための手段を具備したことを特徴とするものである。
【００１０】
請求項６にかかる押釦装置は、請求項１記載の押釦装置において、前記押釦の押圧面への押圧により移動する前記押釦のシャフトによって押圧されるスイッチを具備したことを特徴とするものである。
【００１１】
【発明の実施の形態】以下、本発明になる押釦装置の実施の形態につき、図面を用いて説明する。
【００１２】
図１は、本発明になる押釦装置の一実施の形態を示す一部省略断面図である。この図の装置は、例えばテレビジョン受像機の電源釦に本発明を適用したものである。
【００１３】
図中、１は電源釦であって、これはユーザの手が触れる押圧面２、この押圧面２の反対側に形成された突出部３、４、同じく押圧面２の反対側に形成され、突出部３、４のほぼ中間に形成された円筒状のシャフト５を有している。電源釦１はデザイン上の理由から細長い形状となっている。なお、この電源釦１については、図２および図３も用いてさらに詳細を後述する。
【００１４】
６はテレビジョン受像機の前面カバーであり、これには前記電源釦１を収容する凹部７が形成されている。凹部７には電源釦１（の突出部３、４）の図中水平方向の移動を案内する枠状の案内部８、９、並びに、板状の背面部１０が形成されている。そして背面部１０は、電源釦１の突出部３、４と対向する位置に配置された突出部１１、１２をそれぞれ有したヒンジ部１３、１４、及び電源釦１のシャフト５が移動自在に挿入される円形状の透孔部１５を備えている。なお、ヒンジ部１３、１４の肉厚は、詳細を後述するようにこの部分が変形し易いように周囲の部材の肉厚の半分程度に薄く形成されている。
【００１５】
１６は圧縮コイルばねであり、シャフト５に挿通されている。電源釦１の突出部３、４とヒンジ部１３、１４の突出部１１、１２との間隔は、電源釦１の無押圧時に所定間隔に保たれ、前面カバー６の前面６ａと電源釦１の押圧面２とがほぼ面一致状態となっている。この場合、電源釦１の突出部３、４と対向する前面カバー６の突出部１１、１２との間隔Ａは極めて短くされ、例えば３ｍｍとされている。これにより、電源釦１が押圧された際のこの釦の傾きを制限出来るようにしている。
【００１６】
一方、３１は電源釦１に対向配置されたテレビジョン受像機の電源スイッチであり、３２はそのスイッチシャフトである。このスイッチシャフト３２のストロークはおよそ５ｍｍ程度である。また、３３は電源スイッチ３１を搭載する印刷配線板である。図１は、ユーザにより電源釦１が押されていない状態を示している。この場合、電源釦１のシャフト５と上記スイッチ３１のシャフト３２とは、僅かの距離Ｂ（例えば１ｍｍ）をおいて対向配置された状態となっている。
【００１７】
図２は図１の押釦装置の電源釦１のみを取り出して示す斜視図であり、ここでは図面を分かり易くするために図１において記載を省略した係合部１７、１８も記載している。すなわち、係合部１７、１８は電源釦１本体からシャフト５の長手方向と平行な方向に延びて形成され、その先端部には係合部１７、１８の肉厚よりも肉厚の部分を有する係止部１９、２０が形成されている。これら係合部１７、１８及び係止部１９、２０については、図３も用いてさらに説明を行なう。
【００１８】
図３は、図１（及び図２）の押釦装置の電源釦１と前面カバー６の凹部７との関係を理解し易くするために示す図であって、同図（Ａ）は図１記載のものと同様の側断面図、同図（Ｂ）は前面カバー６の凹部７の裏面図（凹部７の背面部１０を図３（Ａ）のＣ方向から見た図で、電源釦１のシャフト５の位置を点線で示す）、同図（Ｃ）は正面図である。
【００１９】
前面カバー６の背面部１０には、図３（Ｂ）に示すように透孔部１５の両側に長方形状の透孔部２１、２２が形成されている。この透孔部２１、２２の孔の大きさは電源釦１の係合部１７、１８が移動可能に挿入されうる程度の大きさとなっているが、係合部１７、１８の透孔部２１、２２への図３（Ａ）のＤ方向への挿入後は、係合部１７、１８より肉厚な部分を有する係止部１９、２０により背面部１０からの抜け止めがなされる。すなわち、電源釦１と背面部１０とは圧縮コイルばね１６を挟んで対向しているため、圧縮コイルばね１６による電源釦１の凹部７からの飛び出しが上記係止部１９、２０により防止されることになる。
【００２０】
なお、電源釦１の係止部１９、２０が背面部１０と接触した位置で（電源釦１が図３（Ａ）において一番左側に位置する位置で）、電源釦１の押圧面２と前面カバー６の前面６ａとが面一致状態となるよう係合部１７、１８の長手方向の長さ（つまりは、係止部１９、２０の位置）が設計されている。一方、電源釦１が押されたときは、係合部１７、１８は電源釦１の移動に応じて透孔部２１、２２内を移動する。
【００２１】
次に、図４、図５も用いて、上記押釦装置の動作について説明する。なお、両図においては、図１と同様に電源釦１の係合部１７、１８（及び係止部１９、２０）についてその記載を省略している。
【００２２】
図中ユーザにより押圧面２を介して電源釦１が押されると、電源釦１は図４で矢印Ｄ方向へ移動する。移動の最初で、電源釦１のシャフト５と電源スイッチ３１のスイッチシャフト３２とがまず当接する。そしてスイッチシャフト３２の移動が開始される。その後、さらに電源釦１の突出部３、４が対向する前面カバー６の突出部１１、１２と当接する。さらに電源釦１が押されると、図５に示すようにヒンジ部１３、１４が変形し、その状態を保ったまま、さらに図中Ｄ方向に電源釦１が移動する。最終的にシャフト５によりシャフト３２を介して電源スイッチ３１のスイッチがＯＮとなる。
【００２３】
電源釦１の押圧がなくなると、圧縮コイルばね１６により電源釦１は押戻され、元の位置に復帰する。電源スイッチ３１のスイッチシャフト３２も図示しない自身のばねにより元の位置に復帰する。なお、上述したように電源釦１の係止部１９、２０の存在から、前面カバー６から電源釦１が外れて飛び出すことはない。
【００２４】
以上の動作において、ヒンジ部１３、１４の曲げ応力をコイルばね１６の復元力よりも大と設定することにより、電源釦１の押圧面２の端部が押された場合でも、コイルばね１６がより圧縮されるため、電源釦１の傾きは緩和され、ほぼ真っ直ぐに電源釦１を押すことが出来る。
【００２５】
以上述べた本実施の形態によれば、従来問題としていた細長い形状の釦において、釦の傾きにより十分なストロークが取れなくなるといった問題を防ぐことが出来る。
【００２６】
なお、上記実施の形態では、押釦装置の適用例としてテレビジョン受像機の電源釦を採り上げたが、本発明はこれに限られるものではなく、種々様々な装置の種々様々な押釦装置として適用可能であることは言うまでも無い。
【００２７】
【発明の効果】以上述べたように本発明によれば、細長い形状の釦に対しても釦の押圧時にその傾きを緩和することの出来る押釦装置を提供することが出来、有用である。
【図面の簡単な説明】
【図１】本発明になる押釦装置の実施の形態の一例を示す一部省略断面図。
【図２】図１の装置の一部を取り出して示す斜視図。
【図３】図１の装置の一部を取り出して示す図。
【図４】図１の装置の動作を説明するための一部省略断面図。
【図５】図１の装置の動作を説明するための一部省略断面図。
【符号の説明】
１：　電源釦
２：　押圧面
３、４：　突出部
５：　シャフト
６：　前面カバー
７：　凹部
８、９：　案内部
１０：　背面部
１１、１２：　突出部
１３、１４：　ヒンジ部
１５：　透孔部
１６：　圧縮コイルばね
１７、１８：　係合部
１９、２０：　係止部
２１、２２：　透孔部
３１：　電源スイッチ
【図１】
2004031109.tif 000003
【図２】
2004031109.tif 000004
【図３】
2004031109.tif 000005
【図４】
2004031109.tif 000006
【図５】
2004031109.tif 000007